(57)【要約】【課題】使用済みの注射針の先端部を覆った状態をより確実に維持することができる針刺し防止装置を提供すること。  【解決手段】針刺し防止装置１は、使用可能な針１００を、その先端を突出させた状態で保持すると共に、針１００が使用済みとなったとき、この使用済みの針１００の先端を内部の収容空間９に収容させた状態で保持すことができる筐体２を備える。そして、針１００の軸方向への移動を許容するように針１００の基端側が通される孔部２０が形成される後板体３により針１００を先端側に付勢し、針１００の先端部１０１を前板部４に当接させることで針１０１が筐体２により覆われた状態をより確実に維持する。【選択図】図２
2011161020.tif 000002
【特許請求の範囲】
【請求項１】
使用可能な針を、その先端を突出させた状態で保持すると共に、上記針が使用済みとなったとき、この使用済みの針の先端を内部の収容空間に収容させた状態で保持することができる筐体を備える針刺し防止装置において、
上記筐体は、
上記針の軸方向への移動を許容するように上記針の基端側が通される孔部が形成される第１の壁部と、
上記使用可能な針の先端側を支持することができると共に、上記使用済みの針の先端側への移動を阻止することができる第２の壁部と、
上記使用済みの針の先端側を支持する第３の壁部と、
上記使用可能な針に対して、上記第３の壁部の側と反対側で接触することができる接触部を有し、上記接触部を介して、上記使用可能な針を上記第３の壁部に向けて付勢することができると共に、上記使用済みの針の少なくとも先端部において上記第３の壁部と対向する壁部を有する第４の壁部と、
上記使用済みの針を挟んで第３の壁部の両側に配置される第５および第６の壁部と、
上記針に設けられる突起部に係合し、上記使用済みの針を先端方向に向けて付勢することができる付勢部と、
を有する
ことを特徴とする針刺し防止装置。
【請求項２】
請求項１に記載の針刺し防止装置において、
前記第４の壁部には、付勢力を調整するための孔部が形成されている、
ことを特徴とする針刺し防止装置。
【請求項３】
請求項１または２に記載の針刺し防止装置において、
前記第４の壁部には、前記使用済みの針と前記第５の壁部との間に配置される第７の壁部および前記使用済みの針と前記第６の壁部との間に配置される第８の壁部が設けられている、
ことを特徴とする針刺し防止装置。
【請求項４】
請求項１から３のいずれか１に記載の針刺し防止装置において、
前記接触部は、前記収容空間に面する面部を有する、
ことを特徴とする針刺し防止装置。
【請求項５】
請求項１から４のいずれか１に記載の針刺し防止装置において、
前記第１の壁部と前記第３の壁部との間には開口部が形成されている、
ことを特徴とする針刺し防止装置。
【発明の詳細な説明】
【技術分野】
【０００１】
本発明は、針刺し防止装置に関する。
【背景技術】
【０００２】
使用済みの注射針の誤穿刺を防止するため、使用済みの注射針の先端部を板状体等により覆うことができる針刺し防止装置が、たとえば、特許文献１および特許文献２にプロテクタとして開示されている。
【先行技術文献】
【特許文献】
【０００３】
【特許文献１】特開２００２−８５５５８号公報
【特許文献２】特開２００４−７３４０３号公報
【発明の開示】
【発明が解決しようとする課題】
【０００４】
針刺し防止装置は、使用済みの注射針の先端部を覆った状態を確実に維持する必要がある。この点に関し、特許文献１に開示されるプロテクタの場合は、使用済み注射針のプロテクタの内部に収容されている部分が、プロテクタの内部で移動することができる。このため、プロテクタ内で注射針が移動し、プロテクタを構成する板体の合せ目等から使用済みの注射針が突出する虞がある。また、特許文献２に開示されるプロテクタの場合は、使用済みの注射針の基端側への移動をプロテクタの該注射針を挟み込む部分の摩擦力により阻止している。このため、この摩擦力を超えて該注射針を基端側に移動させる力が働く場合には、針がプロテクタから外れてしまう虞がある。
【０００５】
そこで、本発明は、使用済みの注射針の先端部を覆った状態をより確実に維持することができる針刺し防止装置を提供することを目的とする。
【課題を解決するための手段】
【０００６】
上述の課題を解決するため、針刺し防止装置は、使用可能な針を、その先端を突出させた状態で保持すると共に、針が使用済みとなったとき、この使用済みの針の先端を内部の収容空間に収容させた状態で保持することができる筐体を備え、この筐体は、針の軸方向への移動を許容するように針の基端側が通される孔部が形成される第１の壁部と、使用可能な針の先端側を支持することができると共に、使用済みの針の先端側への移動を阻止することができる第２の壁部と、使用済みの針の先端側を支持する第３の壁部と、使用可能な針に対して、第３の壁部の側と反対側で接触することができる接触部を有し、接触部を介して、使用可能な針を第３の壁部に向けて付勢することができると共に、使用済みの針の少なくとも先端部において第３の壁部と対向する壁部を有する第４の壁部と、使用済みの針を挟んで第３の壁部の両側に配置される第５および第６の壁部と、針に設けられる突起部に係合し、使用済みの針を先端方向に向けて付勢することができる付勢部とを有することとする。
【０００７】
このように針刺し防止装置を構成することで、使用済みの注射針の先端部を覆った状態をより確実に維持することができる。
【０００８】
上記発明に加えて、針刺し防止装置における第４の壁部には、付勢力を調整するための孔部が形成されていることとしてもよい。
【０００９】
このように針刺し防止装置を構成することで、第４の壁部の付勢力を簡易な構成で調整することができる。
【００１０】
上記発明に加えて、針刺し防止装置における第４の壁部には、使用済みの針と第５の壁部との間に配置される第７の壁部および使用済みの針と第６の壁部との間に配置される第８の壁部が設けられていることとしてもよい。
【００１１】
このように針刺し防止装置を構成することで、使用済みの針が筐体から飛び出してしまうことをより効果的に防止することができる。
【００１２】
上記発明に加えて、針刺し防止装置における接触部は、収容空間に面する面部を有することとしてもよい。
【００１３】
このように針刺し防止装置を構成することで、第２の壁部に加えて接触部によっても、使用済みの針の前方への移動を阻止することができるため、より確実に、使用済みの針が筐体から飛び出してしまうことを防止することができる。
【００１４】
上記発明に加えて、針刺し防止装置における第１の壁部と第３の壁部との間には開口部が形成されていることとしてもよい。
【００１５】
このように針刺し防止装置を構成することで、筐体を板体から曲げ加工により形成する際に、板体を支持するための治具を、開口部に挿入することができ、筐体の曲げ加工を容易に行うことができる。
【発明の効果】
【００１６】
本発明によれば、使用済みの注射針の先端部を覆った状態をより確実に維持することができる針刺し防止装置を提供することができる。
【図面の簡単な説明】
【００１７】
【図１】本発明の実施の形態に係る針刺し防止装置を前方斜め上方から見たときの概略の構成を示す斜視図であり、針刺し防止装置に使用可能な針が保持されている状態を示している。
【図２】本発明の実施の形態に係る針刺し防止装置を前方斜め上方から見たときの概略の構成を示す斜視図であり、針刺し防止装置に使用済みの針が収容されている状態を示している。
【図３】図１に示す針刺し防止装置を後方から見たときの概略の構成を示す背面図である。
【図４】図１に示す針刺し防止装置を下方から見たときの概略の構成を示す底面図である。
【図５】外針ハブ内に針刺し防止装置が保持されている状態を説明するための図であり、上下方向に沿う面における概略の断面図である。針刺し防止装置に使用可能な針が保持されている状態を示している。
【図６】外針ハブ内に針刺し防止装置が保持されている状態を説明するための図であり、上下方向に沿う面における概略の断面図である。針刺し防止装置に使用済みの針が収容されている状態を示している。
【図７】針刺し防止装置を構成する筐体の概略の展開図である。
【図８】実施の形態に係る針刺し防止装置の変形例を示し、針刺し防止装置を前方斜め上方から見たときの概略の構成を示す斜視図であり一部破断図として示されている。
【図９】図８に示す針刺し防止装置の概略の断面図であり、針刺し防止装置に使用可能な針が保持されている状態を示している。
【図１０】図８に示す針刺し防止装置の概略の断面図であり、針刺し防止装置に使用済みの針が収容されている状態を示している。
【発明を実施するための形態】
【００１８】
（実施の形態）
以下、本発明の実施の形態について、図面を参照しながら説明をする。
【００１９】
図１および図２は、本発明の実施の形態に係る針刺し防止装置１を前方斜め上方から見たときの概略の構成を示す斜視図ある。図１には、使用可能な針１００の先端部１０１を突出させた状態で保持している針刺し防止装置１が示されている。一方、図２には、使用済みの針１００の先端部１０１が内部に収容された状態の針刺し防止装置１が示されている。なお、使用可能な針１００とは、人体に刺される前の未使用の状態、あるいは、人体に刺され使用中の針のことを示す。また、使用済みの針１００とは、人体への輸液等が完了し、人体から抜き取られた後の針のことを示す。
【００２０】
以下の説明において、図１に示すＸ１方向を前方、Ｘ２方向を後方とし、また、Ｙ１方向を右方、Ｙ２方向を左方とし、さらに、Ｚ１方向を上方、Ｚ２方向を下方として説明を行う。図３は、図１に示す針刺し防止装置１を後方から見たときの概略の構成を示す背面図である。図４は、図１に示す針刺し防止装置１を下方から見たときの概略の構成を示す底面図である。図５および図６は、外針ハブ２００内に針刺し防止装置１が保持されている状態を説明するための図であり、上下方向に沿う面における断面の概略図として描かれている。図５には、使用可能な針１００を保持している針刺し防止装置１が、外針ハブ２００内に保持されている状態が示されている。図６には、使用済みの針１００の先端部１０１を内部に収容している状態の針刺し防止装置１が、外針ハブ２００内に保持されている状態が示されている。なお、図５に示す針刺し防止装置１については、図１に示す切断線Ａ−Ａにおける断面が示されている。また、図６に示す針刺し防止装置１については、図２に示す切断線Ｂ−Ｂにおける断面が示されている。
【００２１】
図５および図６に示すように、針刺し防止装置１は、留置針３００の一部として構成され、内針としての針１００の誤穿刺を防止するためのものである。ここで、留置針３００について簡単に説明する。留置針３００は、中空の外針２０１と、外針２０１の基端部２０２が固定される外針ハブ２００と、外針２０１内に挿入される針１００と、針１００の基端部１０２が固定される内針ハブ１０３とを有し構成される。留置針３００を人体に穿刺する際には、図５に示すように、針１００を外針２０１内に挿入し、針１００の先端部１０１を外針２０１の先端から突出させた状態で穿刺を行う。
【００２２】
つまり、針１００と共に外針２０１を血管に穿刺し、外針２０１の血管内への挿入が確認できた状態で、内針ハブ１０３を後方移動し、針１００を外針２０１の後端から抜き取る。抜き取られた針１００の先端部１０１が、図６に示すように、針刺し防止装置１内に収容されるように、内針ハブ１０３を後方に移動させる。さらに、針１００が外針２０１から抜き取られ、針１００の先端部１０１が、針刺し防止装置１内に収容された後も、さらに内針ハブ１０３を後方に移動することで、針刺し防止装置１を外針ハブ２００から取り出すことができる。そして、外針２０１が血管内に挿入され、針刺し防止装置１が取り出された状態の外針ハブ２００に輸液ラインを接続する。これにより、外針ハブ２００および外針２０１を介して人体に輸液を行うことができる。
【００２３】
外針２０１は、長時間血管に挿入された状態が継続しても人体に負荷が少なくなるように、柔軟に撓むことができる樹脂から形成されている。つまり、外針２０１は柔軟であるため、直接人体に穿刺することができない。そのため、穿刺に際して、上述のように硬質な針１００を用いることで、外針２０１を血管内に挿入することができる。
【００２４】
（針刺し防止装置１の全体構成）
針刺し防止装置１は、図１および図２に示すように、全体として前後方向に長い略直方体の筐体２を有し、この筐体２は、第１の壁部としての後板部３と、第２の壁部として前板部４と、第３の壁部として底板部５と、第４の壁部として上板部６と、第５の壁部としての側板部７と、第６の壁部としての側板部８とを有している。後板部３、前板部４、底板部５、上板部６、側板部７および側板部８に囲まれた空間が使用済みの針を収容する収容空間９として形成されている。
【００２５】
なお、針刺し防止装置１は、図７に示す形状の板体２Ａに対して曲げ加工等を施すことで、１枚の板体２Ａから一体的に構成されている。板体２Ａの板材としては、たとえば、ステンレス鋼を用いることができる。図７は、図１等に示す筐体２の概略の展開図であり、針刺し防止装置１の各構成部に対応する部分については、同一の符号が付されている。
【００２６】
図１等に示すように、側板部７および側板部８は、それぞれ上板部６と連結部１０，１１において連結されている。また、図３等に示すように、後板部３は、後板部３の上方に延設される左右２つの腕部１２，１２を介して上板部６と連結部１３，１４において連結されている。図４等に示すように、底板部５は、右側底板部１５と左側底板部１６に分割されている。そして、右側底板部１５は、側板部７と連結部１７において連結されている。また、左側底板部１６は、側板部８と連結部１８において連結されている。また、図１等に示すように、前板部４は、側板部７と連結部１９において連結されている。板体２Ａを各連結部において曲げ加工することで、針刺し防止装置１を１枚の板体２Ａから構成することができる。針刺し防止装置１を１枚の板体２Ａから構成することで、部品点数を減らすことができ、組み立ての工数やコストの低減を図ることができる。板体２Ａは、図７に示す点線部で折り曲げられることで、筐体２として形成される。
【００２７】
（後板部３の構成）
後板部３は、図３に示すように、後方から見た形状が略矩形を呈し、上方の左右に腕部１２，１２が形成されている。また、略中央部には、針１００が通される孔部２０が形成されている。孔部２０の孔径は、針１００を前後方向、すなわち針１００の軸方向にガイドしながらスムーズに移動できる径に設定されている。また、孔部２０は、たとえば、バーリング加工により形成され、孔部２０の外周には、後方に向かって僅かに立ち上がる円筒部２１が形成されている。円筒部２１を形成することで、針１００を前後方向にスムーズにガイドすることができると共に、針１００の先端部１０１の左右上下方向への振れを抑えることができる。
【００２８】
後板部３は、腕部１２，１２が上板部６に連結される連結部１３，１４を除いて、筐体２に対して非連結になっている。したがって、後板部３は、腕部１２，１２を主な撓み部分として、連結部１３，１４の近傍を支点として後方に弾性的に撓むことができる。つまり、後方に撓んだ状態で、前方に向けて付勢力を生じさせることができる。後板部３が撓んだときの付勢力は、腕部１２，１２の左右方向の幅Ｗを変更することで調整することができる。
【００２９】
（上板部６の構成）
上板部６は、連結部１０，１１および連結部１３，１４が設けられる固定部２２と、この固定部２２から前方に延設される可動部２３とを有している。可動部２３は、側板部７，８および前板部４に対して非連結であり、固定部２２との連結部２４の近傍を支点として上下方向に撓むことができる。すなわち、可動部２３は、図１および図５に示す上方位置と、図２および図６に示す下方位置とに変位することができる。そして、可動部２３は、上方位置から下方位置に向けて付勢力を有するバネ性を有するように構成されている。
【００３０】
上板部６には、固定部２２から可動部２３に亘って、左右方向略中央の位置に前後方向に長い孔部２５が形成されている。上板部６に形成される孔部２５の左右には、支持部２６，２６が形成されている。可動部２３の支持部２６，２６よりも前方部分には、第７の壁部としての内側板部２７と第８の壁部としての内側板部２８が設けられている。内側板部２７，２８は、板体２Ａの一部として可動部２３に一体に形成されている。内側板部２７，２８は、互いに対向する側板部７と側板部８との内側に配置されている。内側板部２７，２８は、可動部２３の左右縁部から下方に向けて、側板部７および側板部８に略平行に配置されている。内側板部２７と内側板部２８との間には、開口部２９が形成されている。開口部２９の前方には、底板部５に対向する壁部としての先端上板部３０が設けられている。
【００３１】
また、可動部２３の前端部、すなわち、先端上板部３０の前端部には、接触部としての内前板部３１が設けられている。内前板部３１は、板体２Ａの一部として可動部２３と一体に形成されている。内前板部３１は、可動部２３の前端部から下方に延設され、前板部４の後方に配置されている。また、内前板部３１は、収容空間に面する後側面３２を有している。
【００３２】
開口部２９の後端縁には、突起部３３が設けられている。突起部３３は、板体２Ａの一部として可動部２３と一体に形成されている。突起部３３は、開口部２９の内側に形成された舌状片を曲げ加工することにより形成される。
【００３３】
（側板部７，８の構成）
側板部７，８は、上板部６の左右に配置される。側板部７，８は、左右対称の形状を呈し、それぞれ、内側板部２７，２８に対向するガイド部３４，３５と、このガイド部３４，３５を固定部２２に支持する腕部３６，３７とを有している。ガイド部３４，３５は、上下に平行な縁部を有する略長方形を呈している。ガイド部３４，３５の上下方向の幅Ｔ（図１参照）は、腕部３６，３７の上下方向の幅Ｐよりも狭く、腕部３６，３７には固定部２２との連結部１０，１１からガイド部３４，３５に向かって下方に傾斜する傾斜部３８，３９が形成されている。つまり、側板部７，８は後方から前方に向かって全体として高さが低くなっている。そして、筐体２は、後方から前方に向かって全体として高さが低くなる形状を呈している。
【００３４】
（底板部５の構成）
底板部５は、図４に示すように、右側底板部１５と左側底板部１６を有している。右側底板部１５は連結部１７を介して側板部７側に設けられ、左側底板部１６は、連結部１８を介して側板部８側に設けられている。右側底板部１５は、前方から後方に向かって左右方向の幅が狭くなる三角形状を呈し、左側底板部１６は、前方から後方に向かって左右方向の幅が広くなる三角形状を呈している。そして、右側底板部１５と左側底板部１６との合わせ部４０の隙間が、針１００の太さよりも狭くなるように、右側底板部１５および左側底板部１６の形状および左右方向の幅が設定されている。底板部５は、下方から見た形状において前後方向に長い略長方形を呈し、その対角線方向に沿って合わせ部４０が形成されている。
【００３５】
（前板部４の構成）
前板部４は、図１，図２に示すように、前方から見た形状が略矩形を呈し、側板部７の前端縁に位置する連結部１９から側板部８の前端縁に向けて設けられている。前板部４は、内前板部３１よりも前方に配置されている。前板部４の底板部５からの高さＨ（図５参照）は、後板部３に形成される孔部２０の内周の下側の部分の底板部５からの高さＬ（図３参照）と略同一になるように設定されている。したがって、図１および図５に示すように、針１００は、針刺し防止装置１に保持されたときに、底板部５に対して略平行に配置される。
【００３６】
（針刺し防止装置１の動作）
次に上述のように構成される針刺し防止装置１の動作について説明する。
【００３７】
先ず、図１および図５を参照して、使用可能な針１００が針刺し防止装置１に保持されているときの動作について説明する。
【００３８】
使用可能な針１００は、基端部１０２側を孔部２０に通されると共に、先端部１０１側を内前板部３１と前板部４との間に通された状態で、針刺し防止装置１に保持される。使用可能な針１００が針刺し防止装置１に保持されている状態のとき、内前板部３１の下縁部３１Ａは針１００の上面に当接（接触）している。つまり、可動部２３は、上方位置に変位している。可動部２３は、上方から下方に向かって付勢力を生じている。したがって、針刺し防止装置１に保持されている使用可能な針１００は、内前板部３１から可動部２３の付勢力を受けた状態で、前板部４と内前板部３１との間に挟み込まれる。このように、可動部２３の付勢力で前板部４と内前板部３１の間に針１００を挟み込むことにより、たとえば、針刺し防止装置１に対して手指が触れたときに、針刺し防止装置１の前板部４および内前板部３１が、針１００から容易に外れてしまうことを防止できる。
【００３９】
針刺し防止装置１に保持されている使用可能な針１００に対して接触する前板部４の上縁部４Ａは、図５に示すように後方に向けた折返し部４Ｂの稜部に形成されている。また、内前板部３１の下縁部３１Ａについても、図５に示すように後方に向けた折返し部３１Ｂの稜部に形成されている。折返し部４Ｂの稜部は、前板部４を折り曲げたときの折り曲げ部分の側面であり、板体２Ａの縁部２Ｂ（図７参照）に比べて滑らかな形状となっている。また、折返し部３１Ｂの稜部についても、内前板部３１を折り曲げたときの折り曲げ部分の側面であり、板体２Ａの縁部２Ｃ（図７参照）に比べて滑らかな形状となっている。縁部２Ｂ，２Ｃは、板体２Ａが基板から切り出されたときの切り出し部であるため、ばり等があり、エッジが鋭利な状態となっていることがある。そのため、縁部２Ｂや縁部２Ｃにより針１００を挟み込んだ場合には、針１００を損傷する虞がある。これに対し、滑らかな上縁部４Ａと下縁部３１Ａとにより針１００を挟み込むことで、針１００を挟み込んだ際に針１００を損傷してしまうことを防ぐことができる。
【００４０】
針刺し防止装置１は、使用可能な針１００を保持している状態で、外針ハブ２００内に装填されている。そして、針刺し防止装置１に保持されている使用可能な針１００は、外針２０１内に挿入されている。針刺し防止装置１が外針ハブ２００に装填されている状態で、使用可能な針１００および外針２０１が血管に穿刺される。
【００４１】
次に、図２および図６を参照して、使用可能な針１００が、使用済みの針１００として針刺し防止装置１の収容空間９に収容されるまでの動作について説明する。
【００４２】
針１００を用いて外針２０１を血管へ穿刺した後、内針ハブ１０３を後方に移動させる。内針ハブ１０３の後方への移動に伴って、針１００が後方に移動する。針１００は前板部４と内前板部３１とに挟み込まれている。そのため、内針ハブ１０３の移動は、前板部４と内前板部３１とによる挟み込み力（可動部２３の付勢力）により生じる摩擦力に抗して行われる。しかしながら、上縁部４Ａと下縁部３１Ａは滑らかな形状であるため、針１００は後方に向けてスムーズに移動することができる。
【００４３】
外針ハブ２００の内周面には、凸条２０３が設けられている。凸条２０３は、使用可能な針１００を保持している針刺し防止装置１の突起部３３の後方に位置している。また、凸条２０３は、外針ハブ２００の内周面の全周に亘って形成されている。凸条２０３と突起部３３とは、針刺し防止装置１を後方に移動させたとき、突起部３３が凸条２０３に係合するように、凸条２０３および突起部３３の配置や上下方向の幅等が設定されている。
【００４４】
前板部４と内前板部３１は、針１００を、可動部２３の付勢力により挟み込んでいる。したがって、内針ハブ１０３を後方に移動することで針１００が後方に向けて移動させられると、針刺し防止装置１も一緒に後方に向けて移動しようとする。しかしながら、針刺し防止装置１の突起部３３が凸条２０３に係合することで、針刺し防止装置１の後方への移動が阻止される。針刺し防止装置１の後方への移動が阻止された状態で、内針ハブ１０３を後方に移動することで、針１００を、針刺し防止装置１に対して相対的に後方に向けて移動することができる。
【００４５】
内針ハブ１０３を後方に移動し、針１００を後方に移動させていくと、針１００の先端が外針２０１から抜き取られる。さらに、針１００が後方に向けて移動させられると、針１００の先端部１０１が上縁部４Ａから外れる。そして、可動部２３の付勢力により、針１００の先端部１０１は底板部５に向けて移動され、収容空間９内に収容される。さらに、内針ハブ１０３を後方に移動し、針１００の先端部１０１を、内前板部３１よりも後方に位置させる。針１００の先端が、内前板部３１よりも後方に位置すると、可動部２３の付勢力により、内前板部３１の下縁部３１Ａは底板部５に対して当接させられる。
【００４６】
ところで、針１００の周囲には、フランジ状に形成される突起部１０４が形成され、後板部３に形成される孔部２０は、突起部１０４の外径よりも小さな内径に形成されている。そして、先端部１０１が、内前板部３１の下縁部３１Ａを後方に向けて通過するあたりで、突起部１０４が後板部３の前面に当接するように、突起部１０４の位置が設定されている。したがって、先端部１０１が内前板部３１よりも後方に位置させられた状態では、後板部３は、連結部１３，１４の近傍を支点として後方に向けて弾性的に撓んだ状態となる。この状態で、内針ハブ１０３を後方に移動する力を無くすると、後方に向けて弾性的に撓んだ後板部３は、前方に向かって復元する。すなわち、後板部３は、針１００を前方に向けて付勢する付勢部として機能する。
【００４７】
針１００の突起部１０４と後板部３とは当接している。したがって、後板部３が、前方に向かって復元すると針１００は僅かに前方に移動し、針１００の先端部１０１が、内前板部３１の後側面３２に当接する。針１００の先端部１０１が、内前板部３１の後側面３２に当接した状態で、後板部３が、突起部１０４を介して針１００を前方に押す付勢力が作用するように、後板部３と内前板部３１との前後方向の間隔が設定されている。針１００の先端部１０１が、内前板部３１の後側面３２に当接した状態で、針１００が前方に向けて付勢されることで、針１００の先端部１０１が、内前板部３１に対して押し付けられる。これにより、収容空間９に収容された針１００を、収容空間９内で移動し難いものとすることができる。
【００４８】
針１００が収容空間９に収容され、可動部２３が下方に向けて移動すると、突起部３３と凸条２０３との係合が外れる。そのため、針刺し防止装置１を後方に移動することができ、針刺し防止装置１を外針ハブ２００から抜き取ることができる。そして、針刺し防止装置１が取り出された外針ハブ２００に対して輸液ラインを接続することができる。
【００４９】
なお、針１００の先端部１０１を内前板部３１よりも後方に移動させずに、後板部３の付勢力により前方に向けて付勢した状態で、前板部４の後側面４１に当接させる構成としてもよい。この場合には、内前板部３１により針１００を底板部５に向けて上方から押さえ付けた状態で、収容空間９に収容することができる。
【００５０】
内前板部３１の下縁部３１Ａには折返し部３１Ｂが形成されている。折返し部３１Ｂは、内前板部３１の後側面３２に当接された針１００の先端部１０１の下側に位置している。また、折返し部３１Ｂは、内前板部３１の後側面３２よりも後方に向けて突出している。したがって、折返し部３１Ｂは、針１００の先端部１０１の下側に係合することができる。そのため、針１００の先端部１０１が内前板部３１の下側を通って前方に抜けてしまうことを防止することができる。
【００５１】
また、前板部４の上縁部４Ａにも折返し部４Ｂが形成されている。折返し部４Ｂは、前板部４の後側面４１よりも後方に向けて突出している。したがって、折返し部４Ｂは、針１００の先端部１０１の上側に係合することができる。そのため、針１００の先端部１０１が内前板部３１の下縁部３１Ａと底板部５との間に挟み込まれる状態であっても、前板部４の上縁部４Ａから前方に突出してしまうことを防止することができる。
【００５２】
可動部２３の支持部２６，２６よりも前方部分に設けられる内側板部２７および内側板部２８は、可動部２３が下方位置に移動したときに、底板部５に当接することができるように構成されている。したがって、収容空間９に収容された使用済みの針１００は、内側板部２７，２８により左右方向への移動が規制される。また、使用済みの針１００の先端部１０１の上方には、先端上板部３０が配置されている。したがって、収容空間９に収容された使用済みの針１００は、先端上板部３０により上方への移動が規制される。また、使用済みの針１００の先端部１０１の下方には、底板部５が配置されている。したがって、収容空間９に収容された使用済みの針１００は、底板部５により下方への移動が規制される。このように、使用済みの針１００の先端部１０１の左右方向および上下方向は、内側板部２７，２８、先端上板部３０および底板部５により囲まれている。つまり、針刺し防止装置１は、収容空間９に収容された使用済みの針１００の先端部１０１が左右あるいは上下に移動した場合であっても、針１００の先端部１０１が筐体２から飛び出してしまわないように構成されている。
【００５３】
さらに、内側板部２７の右側には、側板部７が配置され、また、内側板部２８の左側には、側板部８が配置されている。したがって、万が一、内側板部２７，２８と底板部５との隙間から針１００の先端部１０１が飛び出したとしても、側板部７，８によって、針１００の先端部１０１が、筐体２から飛び出さない構成となっている。
【００５４】
底板部５には、右側底板部１５と左側底板部１６との合わせ部４０が形成され、この合わせ部４０は、筐体２の外側に連通している。この合わせ部４０の隙間は、針１００の太さよりも狭く形成されていると共に、底板部５の対角線方向、すなわち、右後方から左前方に向けて斜めに形成されている。そのため、合わせ部４０が、側板部７，８に平行に形成される場合に比べて、針１００の先端部１０１が合わせ部４０から筐体２の外側に飛び出し難い構成となっている。なお、合わせ部４０は、直線状とする他、右側底板部１５の縁部と左側底板部１６の縁部とが互いに噛み合うジグザグの形状としてもよい。
【００５５】
上板部６の左右方向中央には、孔部２５が形成されている。孔部２５を上板部６の左右方向中央に形成することで、孔部２５の左右方向両側に支持部２６，２６が形成される。つまり、可動部２３は、支持部２６，２６を介して固定部２２に支持されている。そして、孔部２５の前後方向の長さおよび左右方向の幅を適宜設定することで、支持部２６，２６の前後方向の長さや左右方向の幅を設定することができ、可動部２３の上方位置から下方位置に向かう付勢力を調整することができる。
【００５６】
ところで、上板部６の左右方向の両側を切り取り、中央部に支持部２６，２６に相当する支持部を形成し、この支持部の左右方向の幅や前後方向の長さを調整することにより、可動部２３の付勢力を調整することもできる。しかしながら、左右方向に間隔を空けて配置される支持部２６と支持部２６とにより可動部２３を固定部２２に支持することで、中央部に支持部を配置する場合に比べて、可動部２３の左右方向への撓みを抑えることができる。可動部２３が左右方向に撓み、内側板部２７，２８が左右方向に移動すると、針１００の先端部１０１が、内側板部２７，２８の外側に飛び出し易くなる。しかしながら、上述のように、左右に間隔を空けて配置される支持部２６と支持部２６とにより可動部２３を固定部２２に支持することで、内側板部２７，２８の左右方向への移動を抑えることができる。これにより、針１００の先端部１０１が、内側板部２７，２８の外側に飛び出し難いものとすることができる。
【００５７】
上述の構成を有する針刺し防止装置１においては、後板部３と底板部５との間に、開口部４２が形成されている。板体２Ａを曲げ加工する際に、板体２Ａを支持するための治具を、開口部４２に挿入することができるため、針刺し防止装置１の曲げ加工を容易に行うことができる。開口部４２は、固定部２２に対向する位置である。つまり、板体２Ａを曲げ加工する際には、治具を固定部２２に当てた状態で板体２Ａの曲げ加工を行うことになる。針刺し防止装置１は、固定部２２を基準にして、後板部３、側板部７，８、可動部２３等が配置されている。たとえば、後板部３および可動部２３は、固定部２２に対して（基準にして）変位したりあるいは撓む。したがって、固定部２２に治具をあてがい、板体２Ａの曲げ加工を行うことで、板体２Ａの曲げ加工の精度を向上させることができる。また、固定部２２に治具をあてがうことで、曲げ加工を行う際に、治具を板体２Ａにあてがう位置の変更を少なくすることができ、加工作業の効率化を図ることができる。
【００５８】
上板部６には、開口部２９が形成されている。この開口部２９により針刺し防止装置１の外側から収容空間９内を見ることができる。したがって、操作者は、使用済みの針１００を収容空間９に収容させる際に、針１００の先端部１０１が完全に収容空間９に収容されたか否かを開口部２９を通して確認することができる。
【００５９】
（変形例）
以上に説明した針刺し防止装置１の変形例である針刺し防止装置５０を、図８，９，１０に示す。図８は、針刺し防止装置５０を前方斜め上方から見たときの概略の構成を示す斜視図あり一部破断図として示されている。図８には、使用可能な針１００の先端部１０１を突出させた状態で保持している針刺し防止装置５０が示されている。図９は、使用可能な針１００が保持されているときの針刺し防止装置５０の概略の断面図である。図１０は、使用済みの針１００が収容されているときの針刺し防止装置５０の概略の断面図である。なお、上述の針刺し防止装置１と対応する構成部分については、同一の符号を付し、その説明を省略する。
【００６０】
針刺し防止装置５０は、底板部５に替えて、第３の壁部として下側支持部５１が設けられている。下側支持部５１の針１００の先端部１０１を支持する部分５１Ａは、前板部４の上縁部４Ａよりも下側に位置している。下側支持部５１は、側板部７と側板部８の内側の面に設けられている。下側支持部５１により、収容空間９に収容された使用済みの針１００の先端部１０１を支持することができる。
【００６１】
下側支持部５１の前端部には上方に立ち上がる突起部５２（図９，１０参照）が設けられている。また、後板部３の前方には、上板部６から下方に向けて設けられる付勢部として下垂部５３が設けられている。下垂部５３は、前後方向に薄い板状体を呈し、前後方向に弾性を有して撓むことができる。下垂部５３には下方に向けて開口する凹部５４が形成されている。使用済みの針１００は、凹部５４を通され、突起部１０４が下垂部５３に当接させられると共に、先端部１０１が突起部５２の後面に当接させられる。この状態で、突起部１０４を介して使用済みの針１００を前方に付勢することができるように下垂部５３と突起部５２との距離等が設定されている。つまり、使用済みの針１００は、下垂部５３により前方に向けて付勢力されることで、針１００の先端部１０１が、突起部５２に対して押し付けられる。これにより、収容空間９に収容された針１００を、収容空間９内で移動し難いものとすることができる。
【００６２】
なお、使用済み針１００の先端部１０１が、突起部５２から前方側に外れた場合に、先端部１０１は、前板部４に当接する。つまり、前板部４は、突起部５２から前方側に外れた使用済み針１００の前方への移動を阻止し、先端部１０１が筐体２から飛び出てしまうことを防止することができる。
【００６３】
針刺し防止装置５０は、筐体２の上方に開口する開口部５５と、下方に開口する開口部５６とを型の抜き部とすることで、樹脂成形により一体的に形成することができる。樹脂成形により形成することで、後板部３に形成される円筒部２１の前後方向の厚さを容易に長く形成することができる。円筒部２１の前後方向の厚さを長くすることで、使用済みの針１００を上下左右に振れ難くすることができ、先端部１０１が筐体２から飛び出してしまうことを防ぐことができる。
【符号の説明】
【００６４】
１，５０  …  針刺し防止装置
２  …  筐体
３  …  後板部（第１の壁部、付勢部）
４  …  前板部（第２の壁部）
５  …  底板部（第３の壁部）
６  …  上板部（第４の壁部）
７  …  側板部（第５の壁部）
８  …  側板部（第６の壁部）
９  …  収容空間
２０  …  孔部
２５  …  孔部
２７  …  内側板部（第７の壁部）
２８  …  内側板部（第８の壁部）
３０  …  壁部（先端上板部）
３１  …  内前板部（接触部）
３２  …  後側面（面部）
４２  …  開口部
５３  …  下垂部（付勢部）
１００  …  針
１０１  …  先端部
１０４  …  突起部
【図１】
2011161020.tif 000003
【図２】
2011161020.tif 000004
【図３】
2011161020.tif 000005
【図４】
2011161020.tif 000006
【図５】
2011161020.tif 000007
【図６】
2011161020.tif 000008
【図７】
2011161020.tif 000009
【図８】
2011161020.tif 000010
【図９】
2011161020.tif 000011
【図１０】
2011161020.tif 000012